(57)【要約】【課題】センサ等を設けることなく可変入賞装置，遊技媒体払出装置等が不正に操作されたことを常に確実に検出できる不正操作検出装置を提供する。【解決手段】可変入賞装置１，遊技媒体払出装置等を作動させるソレノイド２，モータ等の電磁アクチュエータに切換回路１０を介して起電力検出回路１１を接続し、該電磁アクチュエータが非作動であるときに該電磁アクチュエータを該起電力検出回路に接続し該電磁アクチュエータの起電力を検出する。【選択図】  図１
2005000536.tif 000002
【特許請求の範囲】
【請求項１】
可変入賞装置，遊技媒体払出装置等を作動させるソレノイド，モータ等の電磁アクチュエータに起電力検出回路を接続し、該電磁アクチュエータが非作動であるときに該起電力検出回路により該電磁アクチュエータの起電力を検出することを特徴とした遊技機の不正操作検出装置。
【請求項２】
可変入賞装置，遊技媒体払出装置等を作動させるソレノイド，モータ等の電磁アクチュエータに切換回路を介して起電力検出回路を接続し、該電磁アクチュエータが非作動であるときに該電磁アクチュエータを該起電力検出回路に接続し該電磁アクチュエータの起電力を検出することを特徴とした遊技機の不正操作検出装置。
【請求項３】
可変入賞装置，遊技媒体払出装置等を作動させるソレノイドのプランジャーを磁化されたものにするとともに、該ソレノイドに切換回路を介して起電力検出回路を接続し、該ソレノイドが非作動であるときに該ソレノイドを該起電力検出回路に接続し該ソレノイドの起電力を検出することを特徴とした遊技機の不正操作検出装置。
【請求項４】
可変入賞装置，遊技媒体払出装置等を作動させるソレノイド，モータ等の電磁アクチュエータに設けられマイクロコンピュータからの出力信号に従い切換作動する切換回路と、該切換回路を介して該ソレノイドに接続され該ソレノイドの起電力を検出する起電力検出回路とからなることを特徴とした遊技機の不正操作検出装置。
【発明の詳細な説明】
【０００１】
【発明の属する技術分野】
本発明は、パチンコ機，スロットマシン等の遊技機において、不正な操作によって賞球等の遊技媒体を得ようとする行為を検出するための不正操作検出装置に関するものである。
【０００２】
【従来の技術】
パチンコ機等の遊技機において、ピアノ線等を機内に侵入させ、可変入賞装置等を無理に開かせ不正に遊技球を入賞し易くしたり、或いは、賞球払出装置等を無理に作動させ賞球を奪おうとする不正行為を防止するため、従来からこれらの動きをセンサにより監視する不正防止装置が考えられている。下記特許文献１，２は賞球払出装置に上記のような不正操作を検出し得る球排出センサを設けたものである。また下記特許文献３は電磁波を検出するセンサを設けることで、電磁波発信による不正行為を防止しようとするものである。
【０００３】
【特許文献１】
特開平６−７５１１号公報
【特許文献２】
特開２００２−１１３２１７号公報
【特許文献３】
特開２０００−３１７１１７号公報
【０００４】
【発明が解決しようとする課題】
ところで、上記従来の不正防止装置では、可変入賞装置の動きを検出するセンサや排出球を検出するセンサ等、何らかのセンサを設ける必要があった。このためにコストが掛かるとともに、適当な設置スペースが得られないことがあり、さらにはセンサが故障したり故意に破壊される事態に対処できないという問題があった。
そこで本発明はこのような不正操作をさらに確実に検知できる不正操作検出装置を提供しようとするものである。
【０００５】
【課題を解決するための手段】
そのために本発明の不正操作検出装置は、可変入賞装置，遊技媒体払出装置等を作動させるソレノイド，モータ等の電磁アクチュエータに起電力検出回路を接続し、該電磁アクチュエータが非作動であるときに該起電力検出回路により該電磁アクチュエータの起電力を検出することを特徴とする。
また本発明の不正操作検出装置は、可変入賞装置，遊技媒体払出装置等を作動させるソレノイド，モータ等の電磁アクチュエータに切換回路を介して起電力検出回路を接続し、該電磁アクチュエータが非作動であるときに該電磁アクチュエータを該起電力検出回路に接続し該電磁アクチュエータの起電力を検出することを特徴とする。
また本発明の不正操作検出装置は、可変入賞装置，遊技媒体払出装置等を作動させるソレノイドのプランジャーを磁化されたものにするとともに、該ソレノイドに切換回路を介して起電力検出回路を接続し、該ソレノイドが非作動であるときに該ソレノイドを該起電力検出回路に接続し該ソレノイドの起電力を検出することを特徴とする。
また本発明の不正操作検出装置は、可変入賞装置，遊技媒体払出装置等を作動させるソレノイド，モータ等の電磁アクチュエータに設けられマイクロコンピュータからの出力信号に従い切換作動する切換回路と、該切換回路を介して該ソレノイドに接続され該ソレノイドの起電力を検出する起電力検出回路とからなることを特徴とする。
【０００６】
【発明の実施の形態】
次に図面に従い本発明の実施形態を説明する。図１は本発明に係る不正操作検出装置のブロック図である。図中、１はパチンコ機の遊技盤に設けられソレノイド２が励磁することによりプランジャー３がコイルバネ４の弾性に抗して該ソレノイド２に磁力吸引され、作動杆５を可動させて開閉片６を開成させ、遊技盤上を流下する遊技球が入賞し易くなるように構成された周知の可変入賞装置で、該プランジャー３は永久磁石７を設けることにより磁化されたものとする。なお、永久磁石７を設ける位置はプランジャー３の長手方向の中間部としても、或いは、プランジャー３自体を磁化してもよい。
８はこのパチンコ遊技機の遊技制御基板に設けられたマイクロコンピュータ、９は該マイクロコンピュータからの出力信号に従いソレノイド２に作動用電流を流し該ソレノイドを励磁させるドライバ、１０は該マイクロコンピュータからの出力信号に従いソレノイド２の電源回路を起電力検出回路１１に導通させる切換回路で、該起電力検出回路１１はソレノイド２の起電力を検出しマイクロコンピュータ８にその検出信号を出力する。
【０００７】
また、図２はこの不正操作検出装置を具体化した電気回路図である。同図に示すように、上記ドライバ９はダーリントン接続された一対のトランジスタＴＲ１，ＴＲ２からなり、該ドライバ１０の出力段にソレノイド２の電源回路の一端を接続し、該電源回路の他端は接地し、マイクロコンピュータ８の出力端子１２を該トランジスタＴＲ１のベースに接続してなる。また、切換回路１０はソレノイド２の電源回路と起電力検出回路１１とを電界効果トランジスタＦＥＴを介して接続するもので、該電界効果トランジスタＦＥＴのゲートに反転素子Ｎを介して前記出力端子１２を接続する。
【０００８】
起電力検出回路１１はソレノイド２の誘導起電力に基づく電圧と基準電圧とを比較しその差電圧を増幅するオペアンプＰ１およびその利得を調整する固定抵抗器Ｒ１，Ｒ２，Ｒ３とからなり、その出力段がマイクロコンピュータ８の入力端子１３に接続される。
【０００９】
この装置では、マイクロコンピュータ８の出力端子１２の出力電圧が「Ｌ」であるとき電界効果トランジスタＦＥＴがオンし、ソレノイド２の電源回路が起電力検出回路１１に接続され、出力端子１２の出力電圧が「Ｈ」になると電界効果トランジスタＦＥＴがオフすると同時にドライバ１０がオンしてソレノイド２に３２Ｖの電源電圧が印加されることから該ソレノイドが励磁し、プランジャー３を磁力吸引し、可変入賞装置１の開閉片６を開成させる。また、出力端子１２の出力電圧が「Ｌ」になるとソレノイド２が消磁しコイルバネ４の弾性によりプランジャー３が元に戻され開閉片６を閉成させると同時に電界効果トランジスタＦＥＴがオンし、ソレノイド２の電源回路が起電力検出回路１１に接続される。
【００１０】
このため、マイクロコンピュータ８の出力端子１２の出力電圧が「Ｌ」であるときにプランジャー３が何らかの外力によって無理に動かされソレノイド２が誘導電流を発生しその起電力が起電力検出回路１１によって検出されるとその信号がマイクロコンピュータ８の入力端子１３に出力される。
【００１１】
このため、マイクロコンピュータ８から可変入賞装置１の開閉片６を開成させる信号が出力されていないにも拘わらず、プランジャー３が動きその電磁誘導によりソレノイド２に起電力が生じると、その信号がただちに入力端子１３に出力される。そこでマイクロコンピュータ８はそのような異常事態を感知し、その異常発生を音声，ランプ等にて遊技機または集中管理室等に報知する。これによって、ピアノ線等を使用して開閉片６を無理に開かせるような不正操作が確実に感知され、不正行為を未然に防止することができる。
【００１２】
このように本発明の不正操作検出装置では、開閉片６の動きを検知するためのセンサ等を付加することなく、可変入賞装置等の異常な動きを検知することができる。このため、センサの取付コストを要しないことは勿論、センサ取付のための適当なスペースがない場合でも対処でき、また、センサが故障、或いは故意に破壊されて、検出装置としての用をなさないようなこともなく、確実に異常を検出することができる。
また、このように異常を検出した場合、遊技盤面に設けられた可変入賞装置であれば、例えば遊技球入賞の検出を行うセンサの信号を遮断させれば、アウト球として処理できるので不正球取得を完全に防止することができる。また、賞球払出装置のソレノイドであれば、該賞球払出装置の下方に切換弁を設け、球抜き側に切換制御する等、諸々の処理、或いは報知をすることができる。
【００１３】
なお、この実施形態はパチンコ機の可変入賞装置に設けられたソレノイドについて説明したが、賞球払出装置等を作動させるソレノイド、或いはソレノイドと同じく電磁コイルを励磁することにより作動するステッピングモータ等の電磁アクチュエータにこの不正操作検出装置を設け、不正操作を検出させることもできる。図３はステッピングモータに設けた例を示し、このような回転磁界モータの場合、図示したようにロータＲの周囲に配置された複数の電磁コイルＬ１〜Ｌ４のうちの電磁コイルＬ１を切換回路１０を介して起電力検出回路１１に適時接続されるようにし、該電磁コイルＬ１の起電力を検出する。このようにモータの場合、１つの電磁コイルの起電力を検出するだけでも該モータが外力により無理に回転され異常が発生したことを検知することが可能となる。
【００１４】
また、図４に示した実施形態は、１台のパチンコ機に設けられた複数の電磁アクチュエータの異常をオペアンプとコンパレータとからなる１つの起電力検出回路により検出できるようにする回路図を例示するものである。即ち、この実施形態では、３つの電磁アクチュエータのＣＯＩＬ１〜ＣＯＩＬ３を夫々マイクロコンピュータからの指令により切換作動するリレーＲＹ１〜ＲＹ３に接続し、該各電磁アクチュエータが非作動であるときに該各ＣＯＩＬ１〜ＣＯＩＬ３の起電力が検出されるようにしたものである。
【００１５】
なお、以上の実施形態では電磁アクチュエータが非作動であるときにだけ該電磁アクチュエータが起電力検出回路に接続されるようにする切換回路を設けた例を示したが、起電力検出回路を構成するオペアンプの入力段の許容電圧を電磁アクチュエータの電源電圧以上に設定し、マイクロコンピュータが該電磁アクチュエータに作動指令を出していないときに起電力検出の信号が該マイクロコンピュータの入力端子に出力されるようなことがないかどうかを該マイクロコンピュータが判定するように設定すれば、上記のような切換回路を設けなくても異常発生が検知することができる。
【００１６】
また、本発明はパチンコ機のみならずスロットマシン等のその他の遊技機において用いられているソレノイドやモータ等の電磁アクチュエータの異常を検知し、その不正操作を検出することにも適用できる。また、強力な電磁波が浴びせられることによっても電磁アクチュエータに起電力が生じることから、本発明の不正操作検出装置によれば電磁波発信による不正行為を防止することも可能となる。
【００１７】
【発明の効果】
このように本発明によれば、可変入賞装置，遊技媒体払出装置等を作動させるソレノイド，モータ等の電磁アクチュエータに起電力検出回路を接続し、該電磁アクチュエータが非作動であるときに該起電力検出回路により該電磁アクチュエータの起電力が検出されるようにしたので、センサ等を設けることなく該電磁アクチュエータの異常な動きが検知され、可変入賞装置，遊技媒体払出装置等が不正に操作されたことを検出することができる。このため、センサの取付コストを要しないことは勿論、センサ取付のための適当なスペースがない場合でも対処でき、また、センサが故障、或いは故意に破壊され検出装置としての用をなさないようなこともなく、常に確実に異常を検出できるなど顕著な効果がある。
【図面の簡単な説明】
【図１】本発明の実施形態を示す遊技機の不正操作検出装置のブロック図。
【図２】本発明の実施形態を示す遊技機の不正操作検出装置の電気回路図。
【図３】本発明の他の実施形態を示す遊技機の不正操作検出装置のブロック図。
【図４】本発明の他の実施形態を示す遊技機の不正操作検出装置の電気回路図。
【符号の説明】
１    可変入賞装置
２    ソレノイド
３    プランジャー
６    開閉片
８    マイクロコンピュータ
９    ドライバ
１０  切換回路
１１  起電力検出回路
【図１】
2005000536.tif 000003
【図２】
2005000536.tif 000004
【図３】
2005000536.tif 000005
【図４】
2005000536.tif 000006